(57)【要約】【課題】発熱体の上部のカバー表面から空気中に無駄に放熱される熱を低減すること。【解決手段】発熱体５と、発熱体５を覆う断熱材７とからなる本体１と、前記本体１の上面に設けた表面材４と、前記本体１の下面に設けた裏面材６とを備え、前記表面材４に蓄熱材を内包するマイクロカプセル８を含浸することにより発熱体５からの過剰熱を蓄熱材に一時蓄熱する構成としている。本構成によれば、これまで通電状態のときカバー表面より空気中に放熱されていた熱を、蓄熱材に仮蓄熱しておき、発熱体５が休止状態のとき、蓄熱材から放熱することができるので熱を効率的に利用することが可能となる。【選択図】図２
2005308317.tif 000002
【特許請求の範囲】
【請求項１】
発熱体と、該発熱体を覆う断熱材と、該断熱材の上面に設けた表面材と、前記断熱材の下面に設けた裏面材とを備え、前記表面材は蓄熱材を内包するマイクロカプセルを含浸してなる電気採暖具。
【請求項２】
発熱体と、該発熱体を覆う断熱材と、該断熱材の上面に設けた表面材と、前記断熱材の下面に設けた裏面材とを備え、前記表面材は蓄熱材を内包するマイクロカプセルを塗布してなる電気採暖具。
【請求項３】
発熱体と、該発熱体を覆う断熱材と、該断熱材の上面に設けた表面材と、前記断熱材の下面に設けた裏面材とを備え、蓄熱材を内包するマイクロカプセルを含浸した蓄熱シートを前記断熱材と前記表面材との間に配設してなる電気採暖具。
【請求項４】
断熱材と表面材との間にアルミシートを配設してなる請求項１〜３のいずれか１項に記載の電気採暖具。
【発明の詳細な説明】
【技術分野】
【０００１】
本発明は、電気カーペット等の電気採暖具に関するものである。
【背景技術】
【０００２】
従来、この種のカーペット等の電気採暖具は、一般的に通電状態で発熱する発熱体を表生地と裏生地との間に配設してなるカーペット本体と、このカーペット本体の通電時における温度制御を行うコントロール部と、前記本体上面にはカーペットカバーが配設されている（例えば、特許文献１参照）。
【０００３】
図６は、特許文献１に記載された従来の電気採暖具を示すものである。図６に示すように、断熱材４に覆われた発熱線１の上面、下面は表面材２と裏面材３とに被覆され、さらに、その上にカバー５が掛けられて構成されている。
【特許文献１】特開平１１−１３２４８１号公報
【発明の開示】
【発明が解決しようとする課題】
【０００４】
しかしながら、前記従来の構成では、発熱体より発生した熱は表面材を伝わり上部に載置したカバーと表面材の間の空気層を暖め、さらに上カバー本体に伝わり、カバー表面全体から空気中に放熱される。また、発熱体は、隣接する温度センサーの組合せにより温度制御を行っていた。つまり、発熱体の温度が設定温度に達すると、温度センサーからの信号により発熱体の発熱を休止し、次に発熱体の温度が設定温度以下になると温度センサーからの信号により発熱体を再加熱して温度制御を行っていた。
【０００５】
しかし、発熱体から発生する熱は発熱体上部に集中して伝えられるので、必要以上の熱が発熱体上部のカバー表面から空気中に放熱されるという課題を有していた。
【０００６】
本発明は、前記従来の課題を解決するもので、発熱体から発生する熱を効率的に利用した電気採暖具を提供することを目的とする。
【課題を解決するための手段】
【０００７】
前記従来の課題を解決するために、本発明の電気採暖具は、発熱体と、前記発熱体を覆う断熱材と、前記断熱材の上面に設けた表面材と、前記断熱材の下面に設けた裏面材とを備え、前記表面材は蓄熱材を内包するマイクロカプセルを含浸することにより発熱体からの過剰な熱を蓄熱材に一時蓄熱する構成としたものである。
【０００８】
これによって、従来の電気採暖具においては、発熱体に対する温度制御により通電、休止を繰り返す過程において通電状態でカバー表面より空気中に無駄に放熱されていた熱を蓄熱材が仮蓄熱し、発熱体が休止状態で蓄熱材が放熱することとなる。
【発明の効果】
【０００９】
本発明の電気採暖具は、蓄熱材が発熱体からの過剰な熱を蓄熱し、発熱体が休止状態で蓄熱材が放熱することにより熱効率を高めることができる。
【発明を実施するための最良の形態】
【００１０】
第１の発明は発熱体と、前記発熱体を覆う断熱材とからなる本体と、前記本体の上面に表面材を備え、かつ前記本体の下面に裏面材を備え、前記表面材に蓄熱材を内包するマイクロカプセルを含浸することにより、蓄熱材が発熱体からの過剰熱を蓄熱し、発熱体が休止状態で蓄熱材が放熱することとなり、電気採暖具の熱効率を高めることができる。
【００１１】
第２の発明は、特に、第１の発明の蓄熱材を表面材に塗布することにより、第１の発明の蓄熱材と同様に発熱体からの過剰熱を蓄熱し、発熱体が休止状態で蓄熱材が放熱することとなり電気採暖具の熱効率を高めることができる。
【００１２】
第３の発明は、特に、第１または第２の発明の蓄熱材を内包するシートとして表面材の下部に配設することにより、第１の発明と同様にシートに内包された蓄熱材が発熱体からの過剰熱を蓄熱し、発熱体が休止状態で蓄熱材が放熱することとなり電気採暖具の熱効率を高めることができる。
【００１３】
第４の発明は、特に、第１〜第３のいずれか１つの発明の表面材と断熱材の間にアルミシートを配設とすることにより、アルミシートが発熱体からの熱を均一化することにより、発熱材上部以外の蓄熱材の蓄熱作用を効率化し、さらなる熱効率の向上を図ることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電気採暖具の斜視図を示すものである。図１において、１は電気採暖具の本体であり、前記本体１の１側端にはコントローラ２が配設され、上面にはカバー３が載置される。図２は本発明の第１の実施の形態における電気採暖具の縦断面図を示すものである。
【００１６】
前記本体１は上面の表面材４と表面材４下部に配設される発熱体５と、前記本体１下面の裏面材６と前記表面材４と前記裏面材６との間に配設される断熱材７より構成される。また、前記表面材４は蓄熱材を内包するマイクロカプセル８を含浸したものである。
【００１７】
以上のように構成された電気採暖具について、以下その動作、作用を説明する。まず、表面材４に蓄熱材を内包したマイクロカプセル８を含浸することにより発熱体５より放熱される熱を蓄熱することとなる。
【００１８】
本実施の形態においては蓄熱材を内包するマイクロカプセルが発熱体からの過剰熱を蓄熱し、発熱体が休止状態で蓄熱された熱を放熱することにより、発熱体からの熱を有効利用することとなり熱効率を高めることができる。
【００１９】
（実施の形態２）
図３は、本発明の実施の形態２の電気採暖具の縦断面図である。図３において、表面材４の表面には蓄熱材を内包するマイクロカプセル８が塗布されている。
【００２０】
以上のように構成された電気採暖具について、以下その動作、作用を説明する。まず、表面材４表面に蓄熱材を内包したマイクロカプセル８を塗布することにより発熱体５より放熱される熱を蓄熱することとなる。
【００２１】
本実施の形態においては蓄熱材を内包するマイクロカプセルが発熱体からの過剰熱を蓄熱し、発熱体が休止状態で蓄熱された熱を放熱することより、発熱体からの熱を有効利用することとなり熱効率を高めることができる。
【００２２】
（実施の形態３）
図４は、本発明の実施の形態３の電気採暖具の縦断面図である。図４において、表面材４の下部には蓄熱材を内包するマイクロカプセル８を含浸した蓄熱シート９が配設されている。
【００２３】
以上のように構成された電気採暖具について、以下その動作、作用を説明する。まず、表面材３下部に蓄熱材を内包したマイクロカプセル８を含浸した蓄熱シート９を配設することにより発熱体５より放熱される熱を蓄熱することとなる。
【００２４】
本実施の形態においては蓄熱材を内包するマイクロカプセルが発熱体からの過剰熱を蓄熱し、発熱体が休止状態で蓄熱された熱を放熱することより、発熱体からの熱を有効利用することとなり熱効率を高めることができる。
【００２５】
（実施の形態４）
図５は、本発明の実施の形態４の電気採暖具の縦断面図である。図５において、蓄熱材を内包したマイクロカプセル８を含浸した表面材４下部と断熱材７の間にアルミシート１０が配設されている（以下、実施の形態１の記載と同様）。
【００２６】
以上のように構成された電気採暖具について、以下その動作、作用を説明する。まず、表面材３に蓄熱材を内包したマイクロカプセルを含浸することにより発熱体４より放熱される熱を蓄熱することとなる。
【００２７】
本実施の形態においては蓄熱材を内包するマイクロカプセルが発熱体からの過剰熱を蓄熱し、発熱体が休止状態で蓄熱された熱を放熱することより、発熱体からの熱を有効利用することとなり熱効率を高めることができ、また、表面材下部に配設されたアルミシートにより発熱体からの熱を蓄熱材により均一に蓄熱することができる。
【産業上の利用可能性】
【００２８】
以上のように、本発明にかかる電気採暖具は、蓄熱材が発熱体からの過剰熱を蓄熱し、発熱体が休止状態で蓄熱材が放熱することとなり、電気採暖具の熱効率を高めることが可能となるので、発熱体を利用している電気毛布等の用途にも適用できる。
【図面の簡単な説明】
【００２９】
【図１】本発明の実施の形態１における電気採暖具の斜視図
【図２】同電気採暖具の縦断面図
【図３】本発明の実施の形態２における電気採暖具を示す縦断面図
【図４】本発明の実施の形態３における電気採暖具を示す縦断面図
【図５】本発明の実施の形態４における電気採暖具を示す縦断面図
【図６】従来の電気採暖具における縦断面図
【符号の説明】
【００３０】
１  本体
２  コントローラー
３  カバー
４  表面材
５  発熱体
６  裏面材
７  断熱材
８  マイクロカプセル
９  蓄熱シート
１０  アルミシート
【図１】
2005308317.tif 000003
【図２】
2005308317.tif 000004
【図３】
2005308317.tif 000005
【図４】
2005308317.tif 000006
【図５】
2005308317.tif 000007
【図６】
2005308317.tif 000008